(57)【要約】【課題】簡単な構成によって、しかもどの場所にコンテナを設置したとしても内部に塵芥が収容されているか否かを容易に確認することができるコンテナにおける塵芥の有無の表示装置を提供する。【解決手段】コンパクタの押出口に接続される出入口４と、出入口４を閉止する移動可能な蓋板５とを備え、出入口４と押出口とを接続した状態で、コンパクタ内に設けられた押出板と蓋板５とを連結し、押出板の往復動によりコンパクタ内の塵芥が押出口から出入口４を経て圧縮移送されるようになされたクローズドタイプのコンテナ１において、コンテナ１の前壁１１内面に検知部材８１が前壁１１に沿って配置される検知位置と後方に傾斜して配置される傾斜位置との間で前後方向に揺動自在に設けられ、この検知部材８１が塵芥によって前壁１１側に押圧されて検知位置に配置されたときに塵芥が収容されていることを外部の作業者に報知する報知手段８３が設けられている。【選択図】  図３
2005272087.tif 000002
【特許請求の範囲】
【請求項１】
コンパクタの押出口に接続される出入口と、該出入口を閉止する移動可能な蓋板とを備え、上記出入口と押出口とを接続した状態で、上記コンパクタ内に設けられた押出板と上記蓋板とを連結し、押出板の往復動により上記コンパクタ内の塵芥が上記押出口から出入口を経て圧縮移送されるようになされたクローズドタイプのコンテナにおいて、
前記コンテナの前壁内面に検知部材が前壁に沿って配置される検知位置と後方に傾斜して配置される傾斜位置との間で前後方向に揺動自在に設けられ、この検知部材が塵芥によって前壁側に押圧されて上記検知位置に配置されたときに塵芥が収容されていることを外部の作業者に報知する報知手段が設けられたことを特徴とするコンテナにおける塵芥の有無の表示装置。
【請求項２】
前記報知手段は、コンテナ前壁外面に設けられた表示板であって、該表示板が前壁を挿通して配置された連結部材を介して前記検知部材に連結され、この検知部材が傾斜位置に配置されているときには表示板の表示部が前壁外面に設けられた邪魔板に隠れた状態になり、検知部材が検知位置に配置されたときに上記表示部が上記邪魔板から外部に露出するように構成されたことを特徴とする請求項１記載のコンテナにおける塵芥の有無の表示装置。
【発明の詳細な説明】
【技術分野】
【０００１】
本発明は、コンパクタにより塵芥などを詰め込んで車輌によって移送するためのコンテナに関し、特にクローズドタイプのコンテナにおいて内部の塵芥の有無を表示する表示装置に関するものである。
【背景技術】
【０００２】
従来、この種のコンテナとしては、コンパクタの押出口に接続される出入口に、該出入口を閉止する移動可能な蓋板を備え、上記出入口と押出口とを接続した状態で、上記コンパクタ内に設けられた押出板と上記蓋板とを連結し、押出板の往復動作により上記コンパクタ内の塵芥を上記押出口から出入口を経て圧縮移送するように構成したクローズドタイプのものが提供されている（例えば、特許文献１参照。）。
【０００３】
そして、このようなクローズドタイプのコンテナでは、内部に塵芥が収容されているか否かが外部から確認できないため、コンパクタを設置した施設側に各種検出器を設け、これら検出器の検出結果に基づいてコンテナが満量であるか否かを表示するようにしたものがある（例えば、特許文献２参照。）。
【特許文献１】特開２００３−２９２１０６号公報
【特許文献２】特公平３−１２０２号公報
【発明の開示】
【発明が解決しようとする課題】
【０００４】
しかしながら、上記従来のものでは、各種の検出器が必要であるとともに、これら検出器により満量を検出して表示するための制御系などの施設側機器の構成が複雑になって大掛りなものになり、設備コストの増大を招くという問題があった。また、施設内だけでなく地上などにも上記コンテナを設置する場合があるが、この場合には施設側機器が無いために満量表示が行えず、塵芥が収容されているか否かを確認することができない。
【０００５】
さらに、コンテナの周壁適所に覗き窓を設け、この覗き窓を通じて内部の塵芥の有無を確認することもできる。しかし、この場合には覗き窓の内面が収容される塵芥によってすぐに汚れてしまい使いものにならないという問題があった。
【０００６】
本発明は、上記問題点に鑑みてなされたもので、その目的とするところは、簡単な構成によって、しかもどの場所にコンテナを設置したとしても内部に塵芥が収容されているか否かを容易に確認することができるコンテナにおける塵芥の有無の表示装置を提供することにある。
【課題を解決するための手段】
【０００７】
上記の目的を達成するため、請求項１に係る発明のコンテナにおける塵芥の有無の表示装置は、コンパクタの押出口に接続される出入口と、該出入口を閉止する移動可能な蓋板とを備え、上記出入口と押出口とを接続した状態で、上記コンパクタ内に設けられた押出板と上記蓋板とを連結し、押出板の往復動により上記コンパクタ内の塵芥が上記押出口から出入口を経て圧縮移送されるようになされたクローズドタイプのコンテナにおいて、前記コンテナの前壁内面に検知部材が前壁に沿って配置される検知位置と後方に傾斜して配置される傾斜位置との間で前後方向に揺動自在に設けられ、この検知部材が塵芥によって前壁側に押圧されて上記検知位置に配置されたときに塵芥が収容されていることを外部の作業者に報知する報知手段が設けられたものである。
【０００８】
請求項２に係る発明のコンテナにおける塵芥の有無の表示装置は、前記報知手段は、コンテナ前壁外面に設けられた表示板であって、該表示板が前壁を挿通して配置された連結部材を介して前記検知部材に連結され、この検知部材が傾斜位置に配置されているときには表示板の表示部が前壁外面に設けられた邪魔板に隠れた状態になり、検知部材が検知位置に配置されたときに上記表示部が上記邪魔板から外部に露出するように構成されたものである。
【発明の効果】
【０００９】
本発明によれば、構成が簡単で安価で既存のコンテナにも取付けが容易であり、しかも設置場所にかかわらずどこに設置したとしても作業者が塵芥の有無を確実に確認することができる。
【発明を実施するための最良の形態】
【００１０】
以下、本発明の実施の形態について図面を参照して説明する。
【００１１】
図１及び図２は、コンテナの全体構成を示している。
【００１２】
コンテナ１は、上面や周側面が閉塞された所謂クローズドタイプのもので、その後端にテールゲート２が設けられている。
【００１３】
テールゲート２は、コンテナ１の後端上部位置に設けた左右一対の支軸３に揺動自在に支持されている。上記テールゲート２の略中央には出入口４が形成され、該出入口４には蓋板としてのプッシュプレート５が下方に配置されるとともに、該プッシュプレート５の上方にサブプレート６が配置され、これらプレート５、６によって上記出入口４を閉止するようになっている。
【００１４】
このコンテナ１は、図示はしないが従来周知のコンパクタにその後部が着脱自在になされている。コンパクタの内部には油圧シリンダで往復操作される押出板を備えている。そして、コンテナ１とコンパクタとの連結時において、上部に設けられたホッパから投入された塵芥を、押出板でコンパクタ前端の押出口に向って押し出し、この押出口に連通する前記出入口４を介してコンテナ１の内部へ圧縮移送するようにしている。
【００１５】
詳しくは、コンパクタの下面中央には図示しない連結シリンダが設けられ、コンテナ１を捕捉して引き寄せ、あるいは充填の終ったコンテナ１を押し出し操作するようにしている。この場合、コンテナ１は底部前後左右に設けられた車輪１ａを介して移動するようになっており、連結シリンダによるコンテナ１の引き寄せ操作、又は押し出し操作がスムーズに行えるようにしている。
【００１６】
そして、上記コンテナ１のテールゲート２がコンパクタの前端に接続されると、上記プッシュプレート５がコンパクタの押出板に係合されて出入口４とコンパクタの押出口とが連通（接続）する。これにより押出板の往復動作に供ってプッシュプレート５がコンパクタ内とコンテナ１内との間で往復動し、当該プッシュプレート５によってコンパクタの上部ホッパから投入された塵芥を押出口、出入口４を通じてコンテナ１の内部へ圧縮移送するようにしている。つまり、塵芥の圧縮移送は実質的にプッシュプレート５が行なうように構成されている。
【００１７】
また、上記テールゲート２には、出入口４にプッシュプレート５が閉止された状態で該プッシュプレート５を固縛する左右一対の閂部材５１が設けられている。該閂部材５１は、コンパクタの左右両側部に設けられた一対の伸縮シリンダ（図示せず）によりプッシュプレート５から抜差し自在になされている。具体的には、コンテナ１をコンパクタに接続したときに、伸縮シリンダの伸長により閂部材５１を抜き取って出入口４でのプッシュプレート５の固縛状態を解除する一方、伸縮シリンダの収縮により閂部材５１を外方から差し込んでプッシュプレート５を固縛するようになっている。
【００１８】
一方、前記サブプレート６は、上記プッシュプレート５を出入口４に配置した場合にこの出入口４の上部に生じる隙間を埋めるためのもので、前記プッシュプレート５と同様に出入口４の上部にサブプレート６が閉止された状態で該サブプレート６を固縛する左右一対の閂部材６１が設けられている。閂部材６１は、コンパクタの左右両側部に設けられた一対の伸縮シリンダ（図示せず）によりサブプレート６から抜差し自在になされている。具体的には、コンテナ１をコンパクタに接続したときに、伸縮シリンダの伸長により閂部材６１を抜き取って出入口４でのサブプレート６の固縛状態を解除する一方、伸縮シリンダの収縮により閂部材６１を外方から差し込んでサブプレート６を固縛するようになっている。
【００１９】
そして、このサブプレート６は、上述したようにプッシュプレート５により塵芥を詰め込む際には、コンパクタ側に設けられた図示しない移動機構と一体に接続され、この移動機構により上方に移動するようになっている。これによりプッシュプレート５の上部にはサブプレート６が上方に移動した分だけの空間部が生じ、この空間部によって塵芥の噛み込みなどを防止しながらプッシュプレート５によりコンテナ１内へ塵芥が円滑に詰め込まれるようにしている。
【００２０】
また、テールゲート２には、プッシュプレート５及びサブプレート６が出入口４に閉止された状態で、これらプッシュプレート５とサブプレート６との間に生じる隙間Ｐ（図１参照）を閉塞するカバー材７が開閉自在に設けられている。
【００２１】
カバー材７は、例えばゴム製の板状体からなり、プッシュプレート５及びサブプレート６の閉止時にはプッシュプレート５の上端部とサブプレート６の下端部に外側から当接して隙間Ｐを閉じるようになっている。このカバー材７は、略Ｕ字状のカバー腕７１の先端部（中間部）に取り付けられ、このカバー腕７１の両端部は、前記支軸３に回動自在に取り付けられている。
【００２２】
そして、コンテナ１をコンパクタに接続した際には、コンパクタ側に設けた図示しない当接部材がカバー腕７１の両端に設けられたカムレバー７２に前方から当接することにより、当該カバー腕７１を徐々に起立させながら図１において反時計回りの方向に回動させ、これによりカバー材７をコンテナ１の後端部上面上に退避させるようにしている。
【００２３】
なお、これ以外に図示はしないが、テールゲート２を閉じた状態で固縛保持する固縛機構、コンパクタに接続されたコンテナ１を移動不能に固定保持する固定機構なども設けられている。
【００２４】
そして、このように構成されたコンテナ１は、その前壁１１上部に係合ピン１ｂが設けられており、この係合ピン１ｂに図示しないコンテナ荷役車輌の荷役装置のフックを係止させて当該荷役装置によって車輌の車体上に積込むことができるとともに、その逆に車体上から前述したようなコンパクタを備えた施設や地上等に降ろすことができる。
【００２５】
また、荷役装置により車体上でコンテナ１を後方に傾動（ダンプ）させることでこのコンテナ１内の積載物（塵芥）をテールゲート２の開放によって外部に排出することができる。
【００２６】
ところで、コンテナ１の前部には塵芥の有無を作業者が確認するための表示装置８（図１参照）が設けられている。
【００２７】
具体的には、表示装置８は、図３に示すように、コンテナ１の前壁１１内面に設けられた検知部材８１と、前壁１１外面に設けられ、検知部材８１に連結部材８２を介して連結された報知手段としての表示板８３と、前壁１１外面において表示板８３の前方に設けられた邪魔板８４とを備えている。
【００２８】
検知部材８１は、棒状体や所定幅の板状体などの長尺体からなり、上端部８１ａが前壁１１内面の中間部にブラケット８１ｂを介して水平ピン８１ｃにより前後方向に回動自在に支持されることによって、全体として前壁１１に沿って配置される検知位置（図４参照）と図１及び図３に示す後方に傾斜して配置される傾斜位置との間で前後方向に揺動自在に設けられている。
【００２９】
連結部材８２は、Ｌ字状のリンク８２ａと伝達ロッド８２ｂとからなり、リンク８２ａの途中部（屈折部）が前壁１１外面の中間部にブラケット８２ｃ介して水平ピン８２ｄにより前後に回動自在に設けられている。
【００３０】
伝達ロッド８２ｂは、前壁１１を挿通して配置されており、その前後端部が上記リンク８２ａの下方に伸びた一端部と前記検知部材８１の上端部８１ａ寄りとに枢支されている。
【００３１】
表示板８３は、作業者の目視によってコンテナ１内に塵芥が収容されているか否かを知らせるためのもので、上記リンク８２ａの他端部に連結されている。この表示板８３は、その表面が表示部８３ａになされており、当該表示部８３ａには例えば「塵芥収容」や「満量」などの文字や、塵芥が収容されていることを知らせる適宜な図形などが描かれている。
【００３２】
そして、前述した検知部材８１は、例えば前記伝達ロッド８２ｂの前端部と前壁１１の外面とに連結されたスプリング８５の付勢力により通常は前記傾斜位置に配置されるようになされている。
【００３３】
前記邪魔板８４は、前記検知部材８１が傾斜位置に配置されている状態において、該検知部材８１に連結部材８２を介して連結された表示板８３の前方に当該表示板８３を外部から隠すように配設されている。そして、検知部材８１がスプリング８５の付勢力によって検知位置に配置された状態では連結部材８２を介して表示板８３が邪魔板８４から上方に移動し、これによって当該表示板８３が外部に露出するようになっている。
【００３４】
従って、前述したコンパクタによってコンテナ１に塵芥を詰め込んでいって当該塵芥がコンテナ１内の前壁１１まで詰め込まれていくと、その塵芥が検知部材８１に後方から当接して当該検知部材８１を前方側に押圧しようとする。
【００３５】
そして、この押圧力がスプリング８５の付勢力よりも勝ると検知部材８１が傾斜位置から前方側に揺動して検知位置に配置され、これに伴って連動する連結部材８２を介して表示板８３が邪魔板８４よりも上方に回動して前壁１１の外面において露出された状態で配置される。
【００３６】
これにより作業者は表示板８３を目視することによりこのコンテナ１内に塵芥が収容されていることを容易に確認することができる。
【００３７】
このように検知部材８１の揺動動作に基づいて機械的に連結された表示板８３を上下に回動させることで、コンテナ１内に塵芥が収容されているか否かを確認することができるので、従来のような制御系などの電気系統が不要で、構成が簡単で安価で既存のコンテナにも取付けが容易であり、しかも設置場所にかかわらずどこに設置したとしても作業者が塵芥の有無を確実に確認することができる。
【００３８】
なお、上述した実施形態は、あくまでも本発明の好適な実施態様を示すものであって、本発明はこれに限定されることなく、その範囲内において種々設計変更可能である。
【００３９】
例えば、報知手段としては、表示板８３に限らず、ランプやブザーなどやこれらの組み合わせであってもよい。この場合、電源などの電気的な回路が多少必要になるものの構成自体は簡易であり、表示板８３同様に容易に取付けることができる。
【００４０】
また、前壁１１外面における表示板８３を配置する位置は特に限定されるものではないが、作業者が目視し易い位置が好ましい。例えば、運転室にいる作業者から見やすいように右ハンドルの車輌の場合には前壁正面向かって左側の適所に設ければよい。
【図面の簡単な説明】
【００４１】
【図１】コンテナの全体構成を示す側面図である。
【図２】コンテナの全体構成を示す背面図である。
【図３】本発明の主要部をなす表示装置の構成を示す拡大の側面図である。
【図４】塵芥が収容されている場合の表示装置の状態を示す拡大の側面図である。
【符号の説明】
【００４２】
１  コンテナ
２  テールゲート（後壁）
４  出入口
４１  下端縁
４２  両側縁
５  プッシュプレート（蓋板）
８  表示装置
８１  検知部材
８２  連結部材
８３  表示板（報知手段）
８３ａ  表示部
８４  邪魔板
【図１】
2005272087.tif 000003
【図２】
2005272087.tif 000004
【図３】
2005272087.tif 000005
【図４】
2005272087.tif 000006